(57)【特許請求の範囲】
【請求項１】
左右の支柱と、左右の支柱に取り付けた棚板と、昇降棚と、昇降棚を上下動自在に支持する左右の昇降アームと、各支柱に取り付けた昇降アーム取付ブラケットとを備え、昇降アームは、昇降アーム取付ブラケットに取り付けてあり、昇降アーム取付ブラケットは、支柱の上下方向任意の位置に取り付け自在であると共に、棚板に載置して固定してあることを特徴とする陳列棚。
【発明の詳細な説明】
【技術分野】
【０００１】
本発明は、陳列棚に関する。  
【背景技術】
【０００２】
狭い店舗等で商品を陳列する陳列棚では、陳列棚の上方の空間がデッドスペースとなっていた。  
【先行技術文献】
【特許文献】
【０００３】
【特許文献１】なし
【発明の概要】
【発明が解決しようとする課題】
【０００４】
かかる陳列棚の上方の空間を有効利用することが求められていた。
【０００５】
そこで、本発明は、上方の空間を有効利用することができる陳列棚の提供を目的とする。
【課題を解決するための手段】
【０００６】
請求項１に記載の発明は、左右の支柱と、左右の支柱に取り付けた棚板と、昇降棚と、昇降棚を上下動自在に支持する左右の昇降アームと、各支柱に取り付けた昇降アーム取付ブラケットとを備え、昇降アームは、昇降アーム取付ブラケットに取り付けてあり、昇降アーム取付ブラケットは、支柱の上下方向任意の位置に取り付け自在であると共に、棚板に載置して固定してあることを特徴とする陳列棚である。
【発明の効果】
【０００７】
請求項１に記載の発明によれば、陳列棚の上下方向任意の位置に昇降棚を取り付けできるので、陳列棚のデッドスペースとなっている上方の空間に昇降棚を設けることにより、陳列棚の上方の空間を有効利用することができる。  
左右の昇降アーム取付ブラケットの下面同士を連結材で連結しているので、左右の昇降アームの間隔を安定に保持できると共に連結材が目立たないので意匠性が良い。  
【図面の簡単な説明】
【０００８】
【図１】第１実施の形態にかかる陳列棚の上方部分を示す斜視図である。尚、一点鎖線で抜き出して示すのは、昇降アーム取付ブラケットと昇降アームのダンパとを分離して示す斜視図である。
【図２】図１に示す陳列棚の図であり、（ａ）は正面図、（ｂ）は（ａ）に示すＡ−Ａ断面図であり、昇降棚を下げた状態を仮想線（二点鎖線）で示す図である。
【図３】図１に示す陳列棚について、施工現地における組み立て手順を（ａ）〜（ｃ）の工程毎に示す斜視図である。
【図４】図１に示す陳列棚について、工場における組み立て手順を（ａ）〜（ｃ）の工程毎に示す斜視図である。
【発明を実施するための形態】
【０００９】
以下に、添付図面を参照して本発明の実施の形態について説明する。尚、図１では、昇降棚１３内に設けているトレー２０（図２（ａ）参照）は省略して示している。  
図１及び図２に示すように、本実施の形態にかかる陳列棚１は、左右の支柱３ａ、３ｂを備えており、左右の支柱３ａ、３ｂに取り付けた棚板ブラケット５に棚板７が載置されている。  
各支柱３ａ、３ｂには、棚板ブラケット５の係止孔９が上下方向に複数設けてあり、上下方向の任意の位置に棚板ブラケット５を取り付けできるようにしてある。  
【００１０】
最上位置の棚板７上には、昇降棚１３と、左右の昇降アーム１５ａ、１５ｂと、左右の昇降アーム取付ブラケット１７ａ、１７ｂとが設けてあり、陳列棚１の上方位置の空間を昇降棚１３により商品陳列の利用を図るようにしている。  
図２（ａ）に示すように、昇降棚１３は、左右の側板１９と、背板２１と、底板２３とを備えており、左右の側板１９、１９間の寸法が支柱３ａ、３ｂ間の巾よりも小さい箱状にして、左右の支柱３ａ、３ｂ間に納めてある。左右の側板１９、１９間には複数段のトレー２０が配置されており、各トレー２０に商品や物品を小分けにして収納できるようにしている。  
昇降棚１３の底板２３にはその正面側に昇降棚１３を昇降操作する為の取手２４が取り付けてある。  
【００１１】
左右の各昇降アーム１５ａ、１５ｂは、アーム部２５と、アーム部２５の動きを緩衝するダンパ２７とを備えており、ダンパ２７は昇降アーム取付ブラケット１７ａ、１７ｂに取り付けられている。図１に示すように、ダンパ２７には上部に被取付部２７ａが設けてあり、この被取付部２７ａを昇降アーム取付ブラケット１７ａのダンパ取付部３５ｄにねじで固定してある。  
図２（ｂ）に示すように、アーム部２５は、２つのアーム部材２５ａ、２５ｂを有し、一方のアーム部材２５ａはダンパ２７に回動軸２９を中心にして溝３１に沿って回動自在に設けてあり、ダンパ２７内のギアやバネ等の作用によりその回動が緩衝されている。
アーム部２５の先端部には側板取付具３３が取り付けられている。  
【００１２】
図１に示すように、昇降アーム取付ブラケット１７ａ、１７ｂは、対応する昇降アーム１５ａ、１５ｂを支柱３ａ、３ｂに取り付けるものであり、各昇降アーム取付ブラケット１７ａ、１７ｂは、側面形状がダンパ２７の側面形状と略同様な形状であり、側面視略台形を成している。図４（ａ）に示すように、この昇降アーム取付ブラケット１７ａ、１７ｂは昇降アーム固定板３５と、支柱固定板３７との２枚の板を重ねて構成してある。  
昇降アーム固定板３５は、本体部３５ａと、ダンパ２７の底部を載置するダンパ載置部３５ｂと、ダンパ載置部３５ｂから立ち上げた挟持部３５ｃとを有し、挟持部３５ｃと本体部３５ａとの間にダンパ２７を挟持して、ねじ止めしてある。  
【００１３】
支柱固定板３７は、本体部３７ａと、支柱固定部３７ｂと、昇降アーム固定板３５を受ける受部３７ｃを備えている。  
支柱固定板３７の本体部３７ａは、昇降アーム固定板３５に重ねてねじ４３でねじ止めしてある。  
支柱固定部３７ｂは、本体部３７ａから左右に屈曲して形成してあり、支柱３ａ、３ｂの係止孔９に係止する係止部３７ｄが設けてある。  
また、図４（ｃ）に示すように、左右の昇降アーム１５ａ、１５ｂ間には、これらの間隔を保持する間隔補助部材３９が取り付けてある。  
昇降アーム取付ブラケット１７ａ、１７ｂの下面は、各々棚板（連結材）７に下から止めるねじ４１（図３（ｃ）参照）で固定してある。棚板７は、昇降アーム取付ブラケット１７ａ、１７ｂを各々連結してこれらの間隔を保持している。  
【００１４】
次に、図３及び図４を参照して、本実施の形態にかかる陳列棚１の組み立てについて、説明する。  
図４を参照して工場における組み立てを説明する。  
図４（ａ）に示すように、まず、昇降アーム取付ブラケット１７ａ、１７ｂを組み立てるが、左右の昇降アーム取付ブラケット１７ａ、１７ｂは同様に組み立てるので、左の昇降アーム取付ブラケット１７ａについて説明し、右の昇降アーム取付ブラケット１７ｂの組み立てについては省略する。左の昇降アーム取付ブラケット１７ａは、支柱固定板３７の受部３７ｃに昇降アーム固定板３５のダンパ載置部３５ｂを載置して、昇降アーム固定板３５の本体部３５ａと、支柱固定板３７の本体部３７ａを重ね、本体部３５ａ、３７ａ同士をねじ４３で固定する。  
次に、図４（ｂ）に示すように、左右の各昇降アーム取付ブラケット１７ａ、１７ｂに各々昇降アーム１５ａ、１５ｂを取り付ける。昇降アーム１５ａ、１５ｂの取り付けは、昇降アーム固定板３５の本体部３５ａと、挟持部３５ｃとの間にダンパ２７を挿入すると共にダンパ２７を昇降アーム固定板３５のダンパ載置部３５ｂに載置して、ダンパ２７の被取付部２７ａとダンパ取付部３５ｄをねじで固定し、ダンパ２７の下部を挟持部３５ｃにねじ固定する。  
【００１５】
その後、図４（ｃ）に示すように、昇降アーム取付ブラケット１７ａ、１７ｂの前側部に各々間隔補助部材３９を取り付ける。次に、昇降アーム１５ａ、１５ｂに各々設けてある側板取付具３３を昇降棚１３の側板１９、１９に各々ねじ止めする。  
尚、昇降棚１３には底板２３に取手２４を取り付ける。  
以上のように、昇降棚１３には左右の昇降アーム１５ａ、１５ｂを昇降アーム取付ブラケット１７ａ、１７ｂと共に取り付けた状態で組み立てた後、工場から陳列棚１の組み立て現地へ出荷される。  
【００１６】
次に、図３を参照して、昇降棚１３の現地での組み付けについて説明する。  
図３（ａ）に示すように、陳列棚１において、各支柱３ａ、３ｂには上部の任意の位置に棚板ブラケット５に係止して、棚板ブラケット５間に棚板７を載置して、支柱３ａ、３ａ間に棚板７を取り付ける。  
図３（ｂ）に示すように、昇降棚１３と共に昇降アーム１５ａ、１５ｂ及び昇降アーム取付ブラケット１７ａ、１７ｂを棚板７に載せ、昇降アーム取付ブラケット１７ａ、１７ｂの係止部３７ｄを各支柱３ａ、３ｂの係止孔９に係止する。  
次に、図３（ｃ）に示すように、左右の各支柱３ａ、３ｂにおいて、昇降アーム取付ブラケット１７ａ、１７ｂの上部に対応する位置の係止孔９に引掛け金具４７を引掛けて、引掛け金具４７を昇降アーム取付ブラケット１７ａ、１７ｂにねじ４９で固定する。  
その後、昇降アーム取付ブラケット１７ａ、１７ｂの下面を棚板７に下から止めるねじ４１で固定する。  
【００１７】
図２（ａ）（ｂ）に示すように、昇降棚１３の操作は、取手２４を持って、下方に下げることで昇降棚１３を棚板７上から前方の下方へ繰り出して、昇降棚１３内の商品を出し入れする。昇降棚１３から商品を出し入れした後には、取手２４を押し上げて昇降棚１３を最上の棚板７の上に戻す。  
【００１８】
この実施の形態によれば、昇降棚１３は、陳列棚１の上下方向任意の位置に取り付けできるので、陳列棚１のデッドスペースとなっている上方の空間に昇降棚１３を設けることにより、陳列棚１の上方の空間を有効利用することができる。  
左右の昇降アーム取付ブラケット１７ａ、１７ｂの下面同士を棚板（連結材）７で連結しているので、左右の昇降アーム１５ａ、１５ｂの間隔を安定に保持できると共に連結材が目立たないので意匠性が良い。  
【００１９】
更に、本実施の形態では、棚板７を連結材として利用しているので、部品点数を削減できると共に組み立てコストを低減できる。  
図４（ａ）に示すように、昇降アーム取付ブラケット１７ａ、１７は、昇降アーム固定板３５と、支柱固定板３７とを連結して構成しているから、昇降アーム１５ａ、１５ｂの種類や形態が異なる場合には、昇降アーム固定板３５のみの形状や形態を変更することで対応でき、支柱固定板３７を共通に使用できるので、組み立てコストを安価にできる。  
図４（ｂ）に示すように、昇降アーム取付ブラケット１７ａ、１７ｂには、挟持部３５ｃを設けて、ダンパ載置部３５ｂに載置したダンパ２７を挟持しているので、昇降アーム取付ブラケット１７ａ、１７ｂに昇降アーム１５ａ、１５ｂを容易に組み付けできる。  
図３及び図４に示すように、昇降アーム１５ａ、１５ｂに昇降棚１３及び昇降アーム取付ブラケット１７ａ、１７ｂを取り付けた状態までを工場で組み立て、施工現場では、昇降アーム取付ブラケット１７ａ、１７ｂを左右の支柱３ａ、３ｂ及び棚板７に固定するだけで済むから施工現場での組み立てが容易である。  
【００２０】
本発明は、上述した実施の形態に限定されるものではなく、その要旨を逸脱しない範囲で種々変形可能である。  
例えば、昇降棚１３は、陳列棚１の最上の棚板７に設けることに限らず、上から２番目又は３番目等の上方にある棚板７、７間に設けるものであっても良い。  
昇降アーム取付ブラケット１７ａ、１７ｂは、昇降アーム固定板３５と支柱固定板３７を２枚重ねた構成としたが、これに限らず、一枚の板材で構成しても良い。  
昇降棚１３には、天板を設けても良い。  
【符号の説明】
【００２１】
１    陳列棚
３ａ、３ｂ  支柱
７    棚板（連結材）
１３  昇降棚
１５ａ、１５ｂ  昇降アーム
１７ａ、１７ｂ  昇降アーム取付ブラケット
【図１】
0006693820.tif 000002
【図２】
0006693820.tif 000003
【図３】
0006693820.tif 000004
【図４】
0006693820.tif 000005